(57)【要約】  集光された放射ビームによって、光記録担体上の複数の記録層のうちの少なくとも１つにコンテンツを記録する工程を含み、コンテンツを記録するための記録層の選択が、コンテンツの特徴、複数の記録層の特性、エンドユーザによる手動選択、および自動選択という記録基準のうちの、少なくとも１つに基づいて行われる方法４００を開示する。この方法は、ＤＶＤやブルーレイディスクといったような、多層光ディスク上にコンテンツを記録するのに有用である。
2010519666.tif 000002
【特許請求の範囲】
【請求項１】
集光された放射ビームによって、光記録担体上の複数の記録層のうちの少なくとも１つにコンテンツを記録する工程を含む方法であって、該コンテンツを記録するための前記記録層の選択が、
− 前記コンテンツの特徴、
− 前記複数の記録層の特性、
− エンドユーザによる手動選択、および
− 自動選択
という記録基準のうちの、少なくとも１つに基づいて行われることを特徴とする方法。
【請求項２】
前記コンテンツの記録に際して、前記少なくとも１つの記録層の選択が、前記複数の記録層の反復読出性能の特性に基づいて行われることを特徴とする請求項１記載の方法。
【請求項３】
前記コンテンツの記録に際して、前記複数の記録層のうちの１つが、基板の第１の表面の上に配された第１の記録層であり、該第１の記録層が、十分に厚い金属層を含むことを特徴とする請求項２記載の方法。
【請求項４】
前記コンテンツがファイルを含み、前記コンテンツの前記特徴が、
− 該コンテンツが読み出される回数、および
− 該コンテンツが読み出される際の読出速度
のうちの１つから選択されることを特徴とする請求項３記載の方法。
【請求項５】
前記コンテンツが読み出される前記回数が、ファイルのタイプに基づいて特定されることを特徴とする請求項４記載の方法。
【請求項６】
前記エンドユーザによる前記手動選択は、前記エンドユーザが、前記複数の記録層のうち、前記コンテンツを記録すべき１つの層を選択する工程を含むことを特徴とする請求項１記載の方法。
【請求項７】
前記自動選択において、記録装置のアプリケーションプログラムが、前記複数の記録層のうちの１つを、前記コンテンツを記録する層として選択することを特徴とする請求項１記載の方法。
【請求項８】
前記光記録担体が、ＤＶＤまたはブルーレイディスクのうちの一方であることを特徴とする請求項１から７いずれか１項記載の方法。
【請求項９】
集光された放射ビームによって、光記録担体上の複数の記録層のうちの少なくとも１つにコンテンツを記録するように構成された制御ユニットを含む記録装置であって、前記コンテンツを記録するための前記記録層の選択が、
− 前記コンテンツの特徴、
− 前記複数の記録層の特性、
− エンドユーザによる手動選択、および
− 自動選択
という記録基準のうちの、少なくとも１つに基づいて行われることを特徴とする記録装置。
【請求項１０】
ＤＶＤレコーダまたはブルーレイディスクレコーダのうちの一方であることを特徴とする請求項９記載の記録装置。
【請求項１１】
集光された放射ビームによって、光記録担体上の複数の記録層のうちの少なくとも１つにコンテンツを記録する工程を含む方法を、実行するように構成されたコンピュータプログラムコード手段であって、前記コンテンツを記録するための前記記録層の選択が、
− 前記コンテンツの特徴、
− 前記複数の記録層の特性、
− エンドユーザによる手動選択、および
− 自動選択
という記録基準のうちの、少なくとも１つに基づいて行われることを特徴とするコンピュータプログラムコード手段。
【発明の詳細な説明】
【技術分野】
【０００１】
本発明の対象は、記録方法に関するものであり、より詳細には多層光ディスク上へのコンテンツの記録に関するものである。
【背景技術】
【０００２】
特許文献ＷＯ２００４１１２０２２は、情報を多くの層に記憶することができるデータ担体上に記憶された情報を、処理する装置を開示している。異なる層は、異なる特性を有している。記憶された情報の読出しは、その情報が記憶されている層の特性に基づいて、影響を受け得る。
【発明の概要】
【発明が解決しようとする課題】
【０００３】
異なる記録層上に異なるコンテンツを記録する記録方法を有することは有利であろう。また、異なる記録層上に異なるコンテンツを記録する記録装置を有することも有利であろう。
【課題を解決するための手段】
【０００４】
集光された放射ビームによって、光記録担体上の複数の記録層のうちの少なくとも１つにコンテンツを記録する工程を含み、コンテンツを記録するための記録層の選択が、
− コンテンツの特徴、
− 複数の記録層の特性、
− エンドユーザによる手動選択、および
− 自動選択
という記録基準のうちの、少なくとも１つに基づいて行われる方法が開示される。
【０００５】
また、集光された放射ビームによって、光記録担体上の複数の記録層のうちの少なくとも１つにコンテンツを記録するように構成された制御ユニットを含み、コンテンツを記録するための記録層の選択が、
− コンテンツの特徴、
− 複数の記録層の特性、
− エンドユーザによる手動選択、および
− 自動選択
という記録基準のうちの、少なくとも１つに基づいて行われる記録装置が開示される。
【０００６】
さらに、コンテンツを記録する上記の方法は、コンピュータプログラムを用いて実施することもできる。
【図面の簡単な説明】
【０００７】
【図１】四層光記録担体の一例の構造を示した概略図
【図２】０．７ｍＷ、０．９ｍＷ、１．０ｍＷおよび１．２ｍＷの読出パワーにおいて、ある例示的なＢＤ−Ｒディスクの読出しを行った際の、反復読出しの挙動を概略的に示した図
【図３】記録スタック中に金属層を含む多層光記録担体中の層、および記録スタック中に金属層を含まない多層光記録担体中の例示的な層について、反復読出しの挙動を概略的に示した図
【図４】本発明の対象の１つの実施形態に係るコンテンツ記録方法の、詳細なステップを図示したフローチャートの一例を示した図
【図５】本発明の対象の１つの実施形態に係る例示的な記録装置の、例示的な概略ブロック図
【発明を実施するための形態】
【０００８】
以下、上記の側面、特徴および利点を、単なる例として、添付の図面を参照してさらに説明する。図中において、同一の参照番号は、同一または類似の部分を示す。
【０００９】
図１に示した例示的な四層光記録担体１０を参照すると、基板の第１の表面上に、複数の記録層Ｌ０、Ｌ１、Ｌ２およびＬ３が形成されている。記録層Ｌ０、Ｌ１およびＬ２の間には、複数の分離層ｓｐ１、ｓｐ２およびｓｐ３がそれぞれ配されている。記録層Ｌ３の上面には、カバー層ｃ１が配されている。ここで、この光記録担体１０は、記録層、スタックおよび材料層を有している点に留意されたい。光記録担体１０中の材料層は、（たとえば）ＺｎＳ、ＳｉＯ２、Ｃｕ、ＳｉおよびＡｇで作られたものとされ得る。記録層Ｌ１、Ｌ２およびＬ３のスタックは、材料層ＺｎＳ、ＳｉＯ２、ＣｕおよびＳｉからなっている。材料層は、一般的に、約５−１５ｎｍの厚さを有する。上側の記録層Ｌ３、Ｌ２およびＬ１は半透明でなくてはならないので、これらの記録層内には厚い金属層は設けない構成が取られ得る。下側の記録層Ｌ０は、十分に厚い金属層（たとえば、約１００−１５０ｎｍ厚の厚いＡｇミラー）を含む。下側の記録層Ｌ０は透明である必要がないので、この厚い金属層は、下側の記録層Ｌ０内にのみ存在するものとされ得る。ここで、四層光記録担体を示したのは単に説明目的のためだけであって、任意の層数（たとえば２層、３層、４層、６層、８層）を有することが可能である点に留意されたい。
【００１０】
すべての記録層に対して記録および読出しを行うためには、上側の（１つまたは複数の）記録層の透過率は、非常に高くなくてはならない。記録層の数が多いほど、上側の記録層により必要とされる透過率は高くなる。説明のための例として、各層からの実効反射率が４％に到達するために必要とされる、個々の記録層の透過率を計算した（４％という反射率は、現行のブルーレイディスク規格（System description Blu-ray disc recordable format, Part 1, Basic format specifications; System description Blu-ray disc rewritable format, Part 1, Basic format specifications）における各層からの最低限の反射率である）。計算結果を表１に示す。
2010519666.tif 000003
表１のデータは、以下の式を用いて計算した。
2010519666.tif 000004
ただし、ｔｎおよびｒｎは、それぞれ個々の記録層の透過率および反射率であり、Ｒｎは、図１に示した四層光記録担体中のｎ番目の層（たとえばＬ３）からの反射率である。
【００１１】
表１より、上側の記録層Ｌ３、Ｌ２およびＬ１の透過率は、非常に高くなくてはならない、すなわち６０−８０％でなくてはならないことが見て取れる。そのような高い透過率に到達するということは、上側のスタックにおける金属層の使用を一切排除する。したがって、避けられない結果として、これらの上側の層は同時に、非常に低い冷却特性を有することとなる。金属層は、記録スタックの冷却効果を改善するためのヒートシンクとして用いられることが多い。
【００１２】
ほとんどの光ディスク規格（System description Blu-ray disc recordable format, Part 1, Basic format specifications; System description Blu-ray disc rewritable format, Part 1, Basic format specifications）では、「反復読出し」が規定されている。ある特定の最小読出パワーにおいて、記録データを劣化させることなく、１，０００，０００回のデータ読出しが可能とされるべきであると指定されていることが多い。
【００１３】
図２を参照すると、図の縦軸はジッタ（単位％）を表しており、横軸は反復読出サイクルの数を表している。読出パワーが高いほど、ジッタが早く増大する（データが劣化する）ことが見て取れる。反復読出しの間において、放射源（たとえばレーザー）はゆっくりとディスクを加熱し、その結果、記録されたデータの劣化が生じる。記録スタックの冷却特性が良好であるほど、反復読出中における記録スタックの安定性は高まる。読出しの安定性は、スタックの冷却特性に直接的に関連付けられている。
【００１４】
多層光記録担体１０（図１参照）では、異なる記録層は異なる特性を有し得る。たとえば、上側の層は非常に高い光透過率を有さなくてはならないが、下側の層ではその必要がないということに起因する、異なる冷却特性等である。図３は、記録スタック中に金属層を含む多層光記録担体中の層、および記録スタック中に金属層を含まない多層光記録担体中の例示的な層について、反復読出しの挙動を概略的に示した図である。横軸は反復読出しの回数を表し、縦軸はジッタ（単位％）を表す。記録スタック内に金属層を含まない光記録担体において、ジッタが増大し始める前に到達する読出サイクル数は、約１０，０００である。一方、記録スタック内に金属層を含む光記録担体１０（図１参照）は、１，０００，０００回を超える読出サイクルまで、安定性を保っている。光記録担体１０内にある厚い金属層（たとえばＡｇ合金）は、スタックの冷却特性を改善し、結果として、下側の層Ｌ０（図１参照）の反復読出しにおける安定性は、非常に良好となる。
【００１５】
集光された放射ビームによって、光記録担体上の複数の記録層のうちの少なくとも１つにコンテンツを記録する工程を含み、コンテンツを記録するための記録層の選択が、
− コンテンツの特徴、
− 複数の記録層の特性、
− エンドユーザによる手動選択、および
− 自動選択
という記録基準のうちの、少なくとも１つに基づいて行われる方法が開示される。
【００１６】
光記録担体上に記録されるコンテンツのタイプが増えると、いくつかのタイプのコンテンツは頻繁に読み出され、残りのタイプのコンテンツはより読出頻度が低くなるという状況が生じる可能性が高くなる、そのため、コンテンツの特徴／特性に基づいて、光記録担体上の適当な記録層にコンテンツを記録することは、良好な読出性能を保証し、ユーザ体験を向上させる。
【００１７】
図４を参照すると、ステップ４０２において、ｉ）コンテンツの特徴、ｉｉ）複数の記録層の特性、ｉｉｉ）エンドユーザによる手動選択、およびｉｖ）自動選択からなる群から、基準が選択される。ステップ４０４において、選択された基準の評価結果に基づいて、記録層のうちの１つ（すなわち、Ｌ０、Ｌ１、Ｌ２およびＬ３のうちの１つ）が、コンテンツ記録のために選択される。ステップ４０６において、その選択された記録層上に、コンテンツが記録される。
【００１８】
１つの実施形態では、コンテンツの記録に際して、少なくとも１つの記録層の選択が、記録層の反復読出性能の特性に基づくものとされる。この形態では、多くの回数読み出されなくてはならないコンテンツを、良好な反復読出性能の安定性を提供する記録層に記録することができるため、有利である。
【００１９】
別の１つの実施形態では、コンテンツの記録に際して、上記の複数の記録層のうちの１つが、基板の第１の表面の上に配された第１の記録層Ｌ０（図１参照）とされ、その第１の記録層Ｌ０が、十分に厚い金属層（すなわちヒートシンクとして作用する金属層）を含むものとされる。この厚い金属層（たとえばＡｇミラー）は、第１の記録層Ｌ０の冷却特性を改善するため、第１の記録層は、ずっと良好な反復読出性能を有することとなる。さらに、第１の記録層は非常に良好な読出安定性を有する層でもあるため、記録されたコンテンツを、より高速で読み出すこともできる。なお、ここでいう第１の記録層Ｌ０とは、記録／再生ユニットから見て下側の記録層（すなわち、放射ビーム源から最も遠い記録層）を指す点に留意されたい。
【００２０】
さらに別の実施形態では、記録されるコンテンツはファイルを含むものとされ、そのコンテンツの特徴は、
− そのコンテンツが読み出される回数、および
− そのコンテンツが読み出される際の読出速度
のうちの１つから選択される。ＣＥ（民生電子機器）のアプリケーションにおいては、通常、すべてのコンテンツ（たとえば音楽およびムービー）は、同一の速度で読み出される。しかしながら、ＰＣアプリケーションにおいては、当然ながら、コンテンツを可能な限り高速で読み出す方が、（たとえばソフトウェアの）アクセス時間を改善するため好ましい。
【００２１】
さらなる実施形態では、コンテンツが読み出される回数は、ファイルのタイプに基づいて特定される。ｊｐｅｇ、ｄｏｃまたはｐｐｔといった拡張子を有するファイルは、多くの回数読み出される可能性が高い。ファイル拡張子のタイプは、ｉ）ｊｏｉｎｔ  ｐｈｏｔｏｇｒａｐｈｅｒｓ  ｇｒｏｕｐ（ｊｐｅｇ）およびｉｉ）ｍｏｖｉｎｇ  ｐｉｃｔｕｒｅ  ｅｘｐｅｒｔｓ  ｇｒｏｕｐ（ｍｐｅｇ）からなる群より選択されてもよい。一般的に、ｊｐｅｇおよびｍｐｅｇのファイルは、頻繁に読み出されるコンテンツと関連付けられた一次的なデータを含む。そのため、ｊｐｅｇおよびｍｐｅｇのファイルを、良好な反復読出しの安定性を有する第１の記録層Ｌ０（図１参照）上に記録することが有利である。一方、コンテンツと関連付けられた二次的なファイルは、一般的にアクセス頻度がより低く、したがってその他の記録層、具体的にはＬ１、Ｌ２およびＬ３（図１参照）に記録することが有利である。
【００２２】
実行可能なゲームプログラムを含むコンテンツを第１の記録層Ｌ０（図１参照）に記録し、そのゲームプログラムに付随するデータを、第１の記録層Ｌ０より上側にある複数の記録層（Ｌ１、Ｌ２、Ｌ３）のうちの少なくとも１つに記録してもよい。実行可能なゲームアプリケーションプログラムは、光記録担体１０（図１参照）から読み出される頻度が最も高いので、第１の記録層Ｌ０上に記録するのが有利である。ゲームプログラムに付随する、地図や怪物といったような、光記録担体１０からの読出頻度がより低い追加データ（ゲームプログラムにより必要とされる時にのみ読み出される）は、記録層Ｌ１、Ｌ２およびＬ３に記録される。
【００２３】
さらに別の実施形態では、エンドユーザによる手動選択において、エンドユーザが、複数の記録層の中から、コンテンツを記録すべき１つの層を選択する。説明のための例として、光記録担体１０から地図データを取り出すナビゲーションシステムを考えることとする。光記録担体１０は、追加情報（ピクチャ、ムービー等）を含んだ、広範な地域の詳細地図を含むため、非常に大きな容量を有する。ユーザＡおよびユーザＢに対して光記録担体１０が同一であっても、各ユーザは、自分の地理的な位置および興味に基づいて、光記録担体１０上の異なる領域にアクセスする。ユーザＡが、自分が興味があり頻繁に読み出したいと思う地理的な位置と関連付けられた、何らかの追加データを記録しなくてはならない場合には、ユーザＡは、第１の記録層Ｌ０を選択することができる（この第１の記録層Ｌ０が、良好な反復読出しの安定性を有するため）。これにより、読出性能が改善され、ユーザの満足度が高められる。
【００２４】
さらに別の実施形態では、記録装置のアプリケーションプログラムが、複数の記録層のうちの１つを、コンテンツを記録する層として選択する。この形態では、ユーザはコンテンツがどこに記録されるのかを知っておく必要がなく、アプリケーションプログラムが、コンテンツの特徴および／または複数の記録層の特性に基づいて、コンテンツが記録されるべき層を自動的に決定するので有利である。
【００２５】
さらに別の実施形態では、光記録担体は、ＤＶＤまたはブルーレイディスクのうちの一方とされる。利用可能なコンテンツのタイプが増大している一方、ＤＶＤおよびブルーレイディスクの記憶容量もまた増大しており、四層／六層のブルーレイディスクが市場に登場することが予想されている。そのため、コンテンツの性質に基づいてそのコンテンツを記録することのできる記録方法を有することは、有利である。
【００２６】
図５を参照すると、光記録担体１０（図１参照）は、スピンドルモータ５２により、角速度一定（ＣＡＶ）または線速度一定（ＣＬＶ）で制御される。光ピックアップユニット５４は、レーザーダイオードから発せられた（ある記録パワー値の）レーザー光を用いて、光記録担体１０上にデータを記録する。データが記録される際には、エンコーダユニット５８にデータが供給され、そのエンコーダユニット５８により符号化されたデータは、レーザーダイオード駆動ユニット５６に供給される。レーザーダイオード駆動ユニット５６は、符号化されたデータに基づいて駆動信号を生成し、光ピックアップユニット５４のレーザーダイオードにその駆動信号を供給する。加えて、制御ユニット５９からの制御信号が、レーザーダイオード駆動ユニット５６に供給され、その制御信号により、記録ストラテジおよび記録パワーが決定される。
【００２７】
しかしながら、光記録担体１０からコンテンツが読み出される際には、光ピックアップユニット５４のレーザーダイオードは、ある読出パワー（読出パワー＜記録パワー）のレーザー光を発し、反射された光が受光される。受光された反射光は電気信号に変換され、読出ＲＦ信号が得られる。この読出ＲＦ信号は、ＲＦ信号処理ユニット５０に供給される。
【００２８】
ＲＦ信号処理ユニット５０は、イコライザ−と、二値化ユニットと、位相ロックループ（ＰＬＬ）ユニットとを含み、読出ＲＦ信号を二値化し、同期クロックを生成し、それらの信号をデコーダユニット５７に供給する。デコーダユニット５７は、これらの供給された信号に基づいてデータを復号し、復号されたデータを読出データとして出力する。
【００２９】
装置５００はまた、トラッキング誤差信号または焦点誤差信号のそれぞれと、光記録担体１０上に形成されたウォブル信号（たとえば、アドレスの復調または回転数の制御のために用いられる）とを発生させることにより、焦点サーボまたはトラッキングサーボを制御するための（データ読出用の）回路を含んでいる。サーボ制御機構は、従来の駆動システムにおける機構と同一であるので、ここでは詳細に説明しない。
【００３０】
図５に示した構造は、記録装置５００の一般的な動作に関連する部分のみを図解したものである。光ピックアップユニットを制御するためのサーボ回路、スピンドルモータ、スライドモータ、および制御回路は、従来のシステムと同様の方法で構築されているので、それらに関する記載および詳細説明は、ここでは省略する。
【００３１】
制御ユニット５９は、集光された放射ビームによって、光記録担体の複数の記録層のうちの少なくとも１つに、コンテンツを記録するために構成されている。ここで、コンテンツを記録する記録層の選択は、
− コンテンツの特徴、
− 複数の記録層の特性、
− エンドユーザによる手動選択、および
− 自動選択
という記録基準のうちの、少なくとも１つに基づいてなされる。
【００３２】
制御ユニット５９はさらに、ファイルのタイプに基づいて、コンテンツが読み出される回数を特定するように構成された、特定ユニット５９Ａを含んでいる。
【００３３】
この記録装置は、ＤＶＤレコーダおよびブルーレイディスクレコーダのうちの一方であってもよい。
【００３４】
以上、多層ブルーレイディスクを用いた実施形態によって、本発明の対象を説明してきたが、本発明の対象は、あらゆるタイプの記録担体（たとえばＨＤ−ＤＶＤ、ＤＶＤおよびＣＤ）に適用可能なものである。本発明の対象は、片面二層ディスク（すなわちデュアルレイヤーディスク）や、両面二層ディスク（すなわちデュアルレイヤー両面ディスク）に限定されるものではない。当業者であれば、ソフトウェアによっても、ハードウェアおよびソフトウェアの両方によっても、上記で説明したコンテンツ記録方法の実施形態を実施することができる。特許請求の範囲で規定する本発明の対象を実施する技術分野の当業者においては、本願の図面、明細書および特許請求の範囲を考慮することにより、上記で開示した実施形態に対する他のバリエーションも、理解し、実現することができる。「含む」または「備える」との動詞の使用は、請求項または明細書の記載中で述べたもの以外の要素の存在を排除するものではない。ある要素に先行する「１つの」との不定冠詞の使用は、かかる要素が複数存在することを排除するものではない。図面および明細書の記載は、単なる説明目的と捉えられるべきであり、本発明の対象を限定するものではない。
【図１】
2010519666.tif 000005
【図２】
2010519666.tif 000006
【図３】
2010519666.tif 000007
【図４】
2010519666.tif 000008
【図５】
2010519666.tif 000009
【国際調査報告】
2010519666.tif 000010
2010519666.tif 000011